(57)【要約】【課題】装置の破損を防止するとともに、狭額縁化を達成すること。【解決手段】液晶パネル１０１は、板状の透明部品であり、周縁が両面テープ１０６によってフロントケース１１０に接着されている。表示モジュール１０３は、フロントケース１１０及びリアケース１２０が形成する格納空間の開口近傍に配置され、液晶パネル１０１及び板金１３０によって挟持されている。板金１３０は、フロントケース１１０に固定されており、表示モジュール１０３を格納する空間と基板１２１を格納する空間とに格納空間を分断する。そして、板金１３０は、一方の面と液晶パネル１０１の間に表示モジュール１０３及び表示モジュール板金１０４を挟持する。また、板金１３０は、他方の面で表示モジュール１０３及び表示モジュール板金１０４以外の部品の荷重を受ける。【選択図】図２
2012065044.tif 000002
【特許請求の範囲】
【請求項１】
部品の格納空間を形成し一面が開口するケース部材と、
前記ケース部材の開口する一面近傍に格納され、当該一面側に情報を表示する表示面を備えた表示部材と、
前記ケース部材の内面に固定され、前記表示部材を格納する空間と前記表示部材以外の部品を格納する空間とに前記格納空間を分断する板金部材と、
前記ケース部材の開口を覆い、前記板金部材との間で前記表示部材を挟持する透明のパネル部材と、
前記パネル部材と前記ケース部材の開口の周囲とを接着する接着部材と、
を有することを特徴とする携帯端末装置。
【請求項２】
前記表示部材の表示面の周囲を封止するとともに、前記パネル部材と前記表示部材の表示面とを離間させる封止部材をさらに有することを特徴とする請求項１記載の携帯端末装置。
【請求項３】
前記板金部材は、
前記表示部材以外の部品を支持する支持面を有し、
前記パネル部材は、
前記支持面の裏側の面との間で前記表示部材を挟持する
ことを特徴とする請求項１記載の携帯端末装置。
【請求項４】
前記表示部材は、
前記表示面に隣接する側面に微小突起を有し、
前記ケース部材は、
前記表示部材の微小突起と略同一の大きさの突起を内面に有し、当該突起と前記表示部材の微小突起とを嵌合させる
ことを特徴とする請求項１記載の携帯端末装置。
【発明の詳細な説明】
【技術分野】
【０００１】
本発明は、携帯端末装置に関する。
【背景技術】
【０００２】
近年、例えば携帯電話機などの携帯端末装置においては、装置の小型化及び薄型化が進んでおり、画面を表示する表示モジュールや表示モジュールを覆う外装パネルなどを備える表示部付近についても小型化及び薄型化のための様々な構造が検討されている。具体的には、例えば表示モジュール及び外装パネルを支持する支持フレームに、外装パネルの板面に垂直な方向に突出するガイドを設けて、このガイドによって外装パネルを固定するという単純な構造などが考えられている。
【０００３】
また、例えば図５に示すように、筐体を形成するケースに表示モジュールを支持させる構造などが採用されることもある。図５において、リアケース１０及びフロントケース２０は、携帯端末装置の筐体を形成する。フロントケース２０の筐体内部における先端には、表示モジュール４０や基板５０などの部品を支持する支持部２０ａが形成されている。また、フロントケース２０には、表示モジュール４０の表示面を覆う液晶パネル３０が接着されている。
【０００４】
図５に示すように、表示モジュール４０や基板５０などの筐体内部の部品は、フロントケース２０の先端に形成された支持部２０ａによって支持されている。このため、部品を支持するための特別な部品が不要であり、携帯端末装置を薄型化することができる。また、図５では図示していないが、支持部２０ａに多くの部品の荷重がかかるため、例えば比較的重量のある表示モジュール４０の側面から係止爪を延伸させ、係止爪を筐体内部に係止させて表示モジュール４０を固定することがある。こうすることにより、支持部２０ａにかかる部品の荷重を軽減し、フロントケース２０が破損することを防止することができる。
【先行技術文献】
【特許文献】
【０００５】
【特許文献１】特開２００７−９４４０８号公報
【発明の概要】
【発明が解決しようとする課題】
【０００６】
ところで、携帯端末装置の装置全体が小型化及び薄型化される一方で、最近では、表示画面の視認性を確保するために、表示画面を最大限に大型化する構造が採られることがある。すなわち、携帯端末装置の表示画面を有する筐体には、表示画面を囲む額縁部分の面積を小さくする狭額縁化が求められることがある。
【０００７】
しかしながら、従来のように係止爪を用いた構造では、狭額縁化に一定の限界があるという問題がある。すなわち、一般に係止爪は、装置組立時などにおいて係止させる際に撓むため、周囲に撓みの分の可動空間を必要とする。したがって、携帯端末装置の表示モジュールを係止爪によって筐体内部に係止する場合には、係止爪の周囲に撓みの分の可動空間が設けられる。結果として、表示画面を囲む額縁部分には、部品が配置されない可動空間に対応する部分が形成され、狭額縁化の妨げとなる。
【０００８】
また、係止爪を設けずに表示モジュールを支持することも考えられるが、この場合には、表示モジュールの荷重が他の部品の荷重とともに１つの部分にかかり、この部分が破損する虞がある。すなわち、上述した図５の例では、フロントケース２０の支持部２０ａが破損する虞がある。同様に、フロントケース２０に支持部２０ａを形成しない構造とすると、表示モジュール４０などの部品の荷重が直に液晶パネル３０にかかり、液晶パネル３０がフロントケース２０から脱落する虞がある。
【０００９】
開示の技術は、かかる点に鑑みてなされたものであって、装置の破損を防止するとともに、狭額縁化を達成することができる携帯端末装置を提供することを目的とする。
【課題を解決するための手段】
【００１０】
本願が開示する携帯端末装置は、１つの態様において、部品の格納空間を形成し一面が開口するケース部材と、前記ケース部材の開口する一面近傍に格納され、当該一面側に情報を表示する表示面を備えた表示部材と、前記ケース部材の内面に固定され、前記表示部材を格納する空間と前記表示部材以外の部品を格納する空間とに前記格納空間を分断する板金部材と、前記ケース部材の開口を覆い、前記板金部材との間で前記表示部材を挟持する透明のパネル部材と、前記パネル部材と前記ケース部材の開口の周囲とを接着する接着部材と、を有する。
【発明の効果】
【００１１】
本願が開示する携帯端末装置の１つの態様によれば、装置の破損を防止するとともに、狭額縁化を達成することができるという効果を奏する。
【図面の簡単な説明】
【００１２】
【図１】図１は、一実施の形態に係る携帯端末装置の外観を示す斜視図である。
【図２】図２は、図１のＩ−Ｉ線断面を示す図である。
【図３】図３は、図１のII−II線断面を示す図である。
【図４】図４は、一実施の形態に係る表示部の構成を示す分解斜視図である。
【図５】図５は、携帯端末装置の表示部断面を模式的に示す図である。
【発明を実施するための形態】
【００１３】
以下、本願が開示する携帯端末装置の一実施の形態について、図面を参照して詳細に説明する。なお、この実施の形態により本発明が限定されるものではない。
【００１４】
図１は、一実施の形態に係る携帯端末装置の外観を示す斜視図である。図１に示す携帯端末装置は、表示側筐体１００及び操作側筐体２００を有しており、これらの筐体が互いに開閉可能に接続されている。図１は、表示側筐体１００及び操作側筐体２００が互いに開いた状態を図示している。
【００１５】
表示側筐体１００は、液晶パネル１０１及びカメラ１０２を備えている。液晶パネル１０１は、表示側筐体１００に格納される表示モジュールの表示面を覆い、表示面に表示される画像を透過させる透明部品である。後述するように、液晶パネル１０１は、表示側筐体１００を形成するケースに両面テープで接着されており、表示モジュールを支持している。カメラ１０２は、被写体を撮像する。カメラ１０２によって撮像された画像は、表示モジュールの表示面に表示され、液晶パネル１０１を介して目視可能である。
【００１６】
操作側筐体２００は、操作キー２０１を備えている。操作キー２０１は、例えばテンキーなどを含んでおり、携帯端末装置が操作される際に利用者によって押下される。操作キー２０１における操作によって、表示モジュールの表示面には様々な画像が表示され、利用者は、液晶パネル１０１を介して表示画像を目視することができる。
【００１７】
図２は、図１のＩ−Ｉ線断面を示す図である。図２に示すように、表示側筐体１００の外郭は、液晶パネル１０１、フロントケース１１０及びリアケース１２０によって構成されている。換言すれば、フロントケース１１０及びリアケース１２０によって、一面が開口する部品の格納空間が形成されており、開口する一面が液晶パネル１０１によって覆われている。そして、この格納空間には、表示モジュール１０３及び基板１２１などの様々な部品が格納されている。
【００１８】
また、液晶パネル１０１、フロントケース１１０及びリアケース１２０によって囲まれる格納空間は、フロントケース１１０に固定された板金１３０によって２つの空間に分断されている。すなわち、板金１３０は、フロントケース１１０の内面から格納空間の内方へ延伸しており、表示モジュール１０３を格納する空間と基板１２１を格納する空間とに格納空間を分断している。ここで、表示モジュール１０３を格納する空間には、表示モジュール１０３と表示モジュール１０３を保護する表示モジュール板金１０４とのみが格納されている。そして、基板１２１を格納する空間には、基板１２１を含むその他の部品が格納されている。
【００１９】
以下、図２に示す各部品について説明すると、液晶パネル１０１は、板状の透明部品であり、周縁が両面テープ１０６によってフロントケース１１０に接着されている。そして、液晶パネル１０１は、フロントケース１１０及びリアケース１２０によって形成される部品の格納空間の開口を覆っており、この開口近傍に格納される表示モジュール１０３及び表示モジュール板金１０４を板金１３０との間で挟持している。
【００２０】
表示モジュール１０３は、液晶パネル１０１側に表示面を備え、表示面に様々な情報を表示する。具体的には、表示モジュール１０３は、例えばカメラ１０２によって撮像された画像や操作キー２０１の押下に応じた画像などを表示面に表示する。表示モジュール１０３は、格納空間が板金１３０によって分断されて形成される２つの空間のうち、液晶パネル１０１に近い側の空間に格納される。すなわち、表示モジュール１０３は、フロントケース１１０及びリアケース１２０が形成する格納空間の開口近傍に配置され、液晶パネル１０１及び板金１３０によって挟持されている。
【００２１】
表示モジュール板金１０４は、表示モジュール１０３の表示面に隣接する側面及び表示面の裏側の面を覆って保護する。また、表示モジュール板金１０４は、表示モジュール１０３を囲むことで遮光しており、周囲の光が表示モジュール１０３へ漏れることを防止し、表示画面の視認性を向上している。表示モジュール板金１０４は、表示モジュール１０３とともに、液晶パネル１０１及び板金１３０によって挟持されている。このように、表示モジュール１０３及び表示モジュール板金１０４が液晶パネル１０１及び板金１３０によって挟持されるため、表示モジュール１０３を固定するための係止爪などは不要となる。この結果、係止爪が撓むための可動空間が不要となり、表示モジュール１０３の周囲の面積を小さくして狭額縁化を達成することができる。
【００２２】
パッキン１０５は、液晶パネル１０１と表示モジュール１０３の間に介挿され、表示モジュール１０３の表示面の周囲を封止している。これにより、液晶パネル１０１と表示モジュール１０３の表示面との間への異物の進入を防止することができる。また、パッキン１０５は、液晶パネル１０１を表示モジュール１０３の表示面から離間させて、表示面に液晶パネル１０１が接触することによる表示のにじみなどを防止する。
【００２３】
両面テープ１０６は、両面に粘着力を有しており、一方の面が液晶パネル１０１に接着するとともに、他方の面がフロントケース１１０に接着することにより、液晶パネル１０１とフロントケース１１０を接着させている。本実施の形態においては、両面テープ１０６の粘着力によって、表示モジュール１０３及び表示モジュール板金１０４が液晶パネル１０１及び板金１３０に挟持されている。そして、後述するように、液晶パネル１０１には、表示モジュール１０３及び表示モジュール板金１０４以外の部品の荷重がかかることはないため、両面テープ１０６の粘着力によって十分に液晶パネル１０１の脱落を防止することができる。
【００２４】
フロントケース１１０及びリアケース１２０は、例えば合成樹脂からなるケース部材であり、表示側筐体１００の外郭を構成している。フロントケース１１０及びリアケース１２０は、例えば係止爪などによって互いに係止されており、内部に１つの格納空間を形成する。ただし、格納空間のフロントケース１１０側の一面は開口しており、この開口が液晶パネル１０１によって覆われる。
【００２５】
基板１２１は、携帯端末装置の動作を制御する様々な回路が形成される基板である。基板１２１は、格納空間が板金１３０によって分断されて形成される２つの空間のうち、液晶パネル１０１から遠い側の空間に格納される。また、表示モジュール１０３及び表示モジュール板金１０４以外の部品も基板１２１と同じ空間に格納される。したがって、基板１２１などの部品の荷重は、リアケース１２０又は板金１３０にかかることになる。換言すれば、表示モジュール１０３及び表示モジュール板金１０４以外の部品の荷重が液晶パネル１０１にかかることはない。このため、両面テープ１０６によってフロントケース１１０に接着された液晶パネル１０１が部品の荷重によって脱落することはない。
【００２６】
板金１３０は、フロントケース１１０の内面から格納空間の内方へ向かって延伸しており、格納空間を２つの空間に分断する。具体的には、板金１３０は、周縁がフロントケース１１０に埋設されることによりフロントケース１１０に固定されており、表示モジュール１０３を格納する空間と基板１２１を格納する空間とに格納空間を分断する。そして、板金１３０は、一方の面と液晶パネル１０１の間に表示モジュール１０３及び表示モジュール板金１０４を挟持する。また、板金１３０は、他方の面で表示モジュール１０３及び表示モジュール板金１０４以外の部品の荷重を受ける。このとき、板金１３０の周縁がフロントケース１１０に埋設されて固定されているため、部品の荷重によって板金１３０が脱落したりフロントケース１１０が破損したりすることはない。
【００２７】
このように、本実施の形態においては、フロントケース１１０及びリアケース１２０によって形成される部品の格納空間を板金１３０によって分断し、一方の空間に表示モジュール１０３及び表示モジュール板金１０４を格納する。また、他方の空間には、表示モジュール１０３及び表示モジュール板金１０４以外の基板１２１などの部品を格納する。そして、表示モジュール１０３及び表示モジュール板金１０４を液晶パネル１０１及び板金１３０によって挟持する。このため、表示モジュール１０３を固定するための係止爪などが不要となり、係止爪を撓ませるための可動空間を削減し、表示面周囲の面積を小さくして狭額縁化することができる。また、基板１２１などの部品の荷重が液晶パネル１０１にかかることはないため、液晶パネル１０１の脱落などの破損を防止することができる。
【００２８】
ところで、本実施の形態においては、表示モジュール１０３及び表示モジュール板金１０４が液晶パネル１０１及び板金１３０に挟持される構成であるため、携帯端末装置の組立が困難になる。具体的には、組立時において、液晶パネル１０１がフロントケース１１０に接着されるまでは、表示モジュール１０３及び表示モジュール板金１０４が固定されておらず、容易に脱落してしまうこととなる。そこで、本実施の形態においては、表示モジュール１０３の側面に微小突起を設け、この微小突起をフロントケース１１０の内面に形成された突起と嵌合させることにより、組立時の表示モジュール１０３及び表示モジュール板金１０４の脱落を防止している。以下、この点について、図３を参照しながら説明する。
【００２９】
図３は、図１のII−II線断面を示す図である。図３のＡの部分に示すように、表示モジュール１０３の側面には微小突起１０３ａが形成されている。なお、微小突起１０３ａが形成される部分は、表示モジュール板金１０４に覆われていない。すなわち、微小突起１０３ａは、周囲の表示モジュール板金１０４の表面よりも突出している。また、微小突起１０３ａと同様の微小突起は、表示モジュール１０３の側面の他の部分にも形成されていても良い。すなわち、例えば微小突起１０３ａが形成される側面とこの側面の裏側の側面とに、それぞれ２箇所ずつ微小突起が形成されていても良い。以下においては、微小突起１０３ａの周囲の構成について説明するが、他の微小突起の周囲も微小突起１０３ａの周囲と同様の構成となっている。
【００３０】
微小突起１０３ａに対向するフロントケース１１０の内面には、微小突起１０３ａと略同一の大きさの突起１１０ａが形成されている。図３に示すように、表示モジュール１０３が液晶パネル１０１及び板金１３０によって挟持された状態では、微小突起１０３ａは、突起１１０ａの先端よりも突起１１０ａの根元側にまで突起している。すなわち、表示モジュール１０３をフロントケース１１０に着脱する際、微小突起１０３ａと突起１１０ａが互いに接触し干渉する。
【００３１】
ただし、微小突起１０３ａ及び突起１１０ａの先端は、いずれも表示モジュール１０３の着脱方向に丸みを帯びているとともに、微小突起１０３ａと突起１１０ａが重なる長さは微小である。このため、表示モジュール１０３に比較的小さい力をかけることにより、容易に表示モジュール１０３を着脱することができる。そして、携帯端末装置の組立時においては、微小突起１０３ａと突起１１０ａを嵌合させることにより、表示モジュール１０３がフロントケース１１０から脱落することを防止することができる。
【００３２】
このようにして表示モジュール１０３がフロントケース１１０に装着された後、両面テープ１０６によって液晶パネル１０１がフロントケース１１０に接着されることにより、表示モジュール１０３が液晶パネル１０１及び板金１３０によって挟持される。具体的には、図４に示すように、表示モジュール１０３の微小突起１０３ａとフロントケース１１０の内面の突起１１０ａとが嵌合することにより、表示モジュール１０３がフロントケース１１０に装着される。そして、表示モジュール１０３と液晶パネル１０１の間に、パッキン１０５が介挿され、液晶パネル１０１がフロントケース１１０に接着される。これにより、表示モジュール１０３は、液晶パネル１０１及び板金１３０に挟持され固定される。
【００３３】
なお、パッキン１０５は、表示モジュール１０３の表示面を囲む形状をしており、液晶パネル１０１がフロントケース１１０に接着されることにより押圧され、表示面の周囲を封止する。同時に、表示面に液晶パネル１０１が直接接触することがなく、液晶パネル１０１の接触によって表示がにじむことを防止することができる。
【００３４】
以上のように、本実施の形態においては、ケース内部に形成される部品の格納空間をケース内面に固定された板金によって分断する。そして、一方の空間には、表示モジュールを格納し、格納された表示モジュールを液晶パネルと板金によって挟持する。また、他方の空間には、表示モジュール以外の部品を格納する。このため、表示モジュールを支持するための係止爪が不要になり、係止爪を撓ませるための可動空間を削減することができる。結果として、可動空間に対応する額縁部分を削減することができ、狭額縁化を達成することができる。また、表示モジュール以外の部品の荷重は、板金又はケース内面にかかることになり、液晶パネルには表示モジュール以外の部品の荷重がかからない。したがって、部品の荷重によって表示モジュールが脱落することがなく、装置の破損を防止することができる。
【００３５】
なお、上記一実施の形態においては、板金１３０がフロントケース１１０に固定されるものとしたが、板金１３０は、リアケース１２０に固定されていても良い。また、表示側筐体を構成するケースが一体化しているような場合でも、このケースの内面に板金が固定され、ケース内部の格納空間が分断されていれば良い。
【００３６】
さらに、上記一実施の形態において開示された構成は、携帯電話機のみならず、例えばＰＤＡ（Personal Digital Assistant）、ノート型パーソナルコンピュータ及び携帯型ゲーム機などにも適用可能である。すなわち、筐体内部に表示モジュールやその他の部品を格納する携帯端末装置であれば、上記一実施の形態と同様の構成を適用することができる。
【符号の説明】
【００３７】
１００  表示側筐体
１０１  液晶パネル
１０２  カメラ
１０３  表示モジュール
１０３ａ  微小突起
１０４  表示モジュール板金
１０５  パッキン
１０６  両面テープ
１１０  フロントケース
１１０ａ  突起
１２０  リアケース
１２１  基板
１３０  板金
２００  操作側筐体
２０１  操作キー
【図１】
2012065044.tif 000003
【図２】
2012065044.tif 000004
【図３】
2012065044.tif 000005
【図４】
2012065044.tif 000006
【図５】
2012065044.tif 000007